(57)【要約】【課題】  一対の把手の把持部同士をまとめて把持して持ち運ぶ手提げ容器において、楽に両把持部を把持して持ち運ぶことのできる手提げ容器を提供する。【解決手段】  一対の把手４，５の把持部同士をまとめて把持して持ち運ぶ手提げ容器において、一対の把手４，５は合成樹脂製の成型品であり、且つ、両把持部を覆うカバー体５０を備え、該カバー体５０を把持できるように構成されている。【選択図】  図１
2009018845.tif 000002
【特許請求の範囲】
【請求項１】
一対の把手の把持部同士をまとめて把持して持ち運ぶ手提げ容器において、一対の把手は合成樹脂製の成型品であり、且つ、両把持部を覆うカバー体を備え、該カバー体を把持できるように構成されていることを特徴とする手提げ容器。
【請求項２】
カバー体は柔軟な帯状体から形成され、該カバー体の一端部には他端部側に曲げ返されて筒状とされた筒状部が形成され、該筒状部に一方の把持部が挿通されてカバー体は一方の把手に取り付けられており、カバー体の他端部側で他方の把持部を巻回するように被覆可能に構成されている請求項１記載の手提げ容器。
【請求項３】
カバー体の他端部側で他方の把持部を被覆した状態を保持するための保持手段を備えている請求項２記載の手提げ容器。
【請求項４】
保持手段として、カバー体の一端部側と他端部側にはカバー体の厚み方向への押圧力により互いに係止可能な係止具が取り付けられ、且つ、カバー体の一端部側の係止具は筒状部に取り付けられている請求項３記載の手提げ容器。
【発明の詳細な説明】
【技術分野】
【０００１】
本発明は、例えば魚釣りに際して、餌や釣り具あるいは釣った魚等を収納したり、水汲み用として使用したりする手提げ容器の改良に関するものである。
【背景技術】
【０００２】
この種の手提げ容器は、バケツやバッカンとも称されるものであって、上面開口の容器本体と、該容器本体の対向する二箇所にそれぞれ上下方向に回動可能に取り付けられた一対の把手とを備えている。該把手は合成樹脂製の成型品であって略コの字状に形成されており、持ち運ぶ際には一対の把手を共に上方に起立させ、両把手の把持部同士を横並び状態にしてまとめて把持し、また、釣り場等に載置して使用する際には、両把手をそれぞれ下方に傾倒させて容器本体の上方空間を把手の把持部から開放する。
【特許文献１】特開平１１−２０６３００号公報
【特許文献２】特開２００６−２１１９６０号公報
【発明の開示】
【発明が解決しようとする課題】
【０００３】
ところで、上記把手は、合成樹脂製の成型品であるので紐状体からなるものに比して保形性に優れるので起立状態での姿勢が安定化する一方で、把持した際の感触が硬い。また、横並び状態となった両把持部が手の中で位置ずれしやすいため、比較的に強く把持する必要もある。
【０００４】
それゆえに本発明は、上記従来の問題に鑑みてなされ、一対の把手の把持部同士をまとめて把持して持ち運ぶ手提げ容器において、楽に両把持部を把持して持ち運ぶことのできる手提げ容器を提供することを課題とする。
【課題を解決するための手段】
【０００５】
本発明は、上記課題を解決すべくなされたものであり、本発明に係る手提げ容器は、一対の把手の把持部同士をまとめて把持して持ち運ぶ手提げ容器において、一対の把手は合成樹脂製の成型品であり、且つ、両把持部を覆うカバー体を備え、該カバー体を把持できるように構成されていることを特徴とする。
【０００６】
該構成の手提げ容器にあっては、両把持部をカバー体で覆うことができ、そのカバー体を把持して持ち運ぶことができる。
【０００７】
特に、カバー体は柔軟な帯状体に形成され、該カバー体の一端部には他端部側に曲げ返されて筒状とされた筒状部が形成され、該筒状部に一方の把持部が挿通されてカバー体は一方の把手に取り付けられており、カバー体の他端部側で他方の把持部を巻回するように被覆可能に構成されていることが好ましい。
【０００８】
カバー体が把手に取り付けられていない構造とすることもできるが、カバー体が一方の把手に取り付けられていることによりカバー体の紛失が未然に防止できるうえに、両把持部をカバー体で覆う作業も素早く行うことができる。また、カバー体の筒状部に一方の把手の把持部が挿通されて取り付けられているので、一方の把持部は筒状部によって既に覆われた状態にある。従って、残る他方の把手の把持部をカバー体の他端部側で巻回するようにして覆えばよく、その被覆作業のみで両把持部をカバー体で容易に覆うことができる。
【０００９】
更に、カバー体の他端部側で他方の把持部を被覆した状態を保持するための保持手段を備えていることが好ましく、カバー体を常にしっかりと把持しなくても保持手段によって被覆状態が維持されるので軽い力でカバー体を把持すればよく、また、カバー体から手を離しても両把持部の被覆状態は維持されたままであるので、再び把持する場合にすぐに把持できる。
【００１０】
また更に、保持手段として、カバー体の一端部側と他端部側にはカバー体の厚み方向への押圧力により互いに係止可能な係止具が取り付けられ、且つ、カバー体の一端部側の係止具は筒状部に取り付けられていることが好ましい。保持手段として係止具をカバー体の厚み方向へ押圧することで互いに係止させることができ、そのカバー体を把持することによって係止具には係止状態を維持する方向の力が自動的に付与されるので、持ち運ぶ際に係止具が互いに離脱するということがない。しかも、一方の係止具が筒状部に設けられているので、他端部側の係止具を一端部側の係止具に押圧して係止させる場合において、筒状部の内側に存在している把持部が押圧力を受け止めることができ、従って、両係止具を容易に係止させることができる。更には、釣り場に載置する場合など持ち運ぶ以外の場合において、一方の把手に取り付けられたカバー体をその他端部側が伸びたフリー状態のままとすることもできるが、カバー体に係止具が取り付けられているので係止具同士を係止させることでカバー体をコンパクトにしておくことができる。その際にも、一端部側の係止具が筒状部に設けられているので、他端部側の係止具を筒状部に位置する一端部側の係止具に押圧することによって容易に両係止具を係止させることができる。
【発明の効果】
【００１１】
以上のように本発明の釣竿ケースにあっては、一対の把手同士をまとめて持ち運ぶ際に両把持部をカバー体で覆ってそのカバー体を把持することができるので、露出した両把持部を直接把持する場合に比して手のひらの感触が良好なものとなり、両把持部同士の位置ずれもカバー体により抑制されることも相まって、従来に比して把持する力が小さくて済み、楽に持ち運びすることができる。
【発明を実施するための最良の形態】
【００１２】
以下、本発明に係る手提げ容器の一実施形態について図面を参酌しつつ説明する。
図１には手提げ容器として釣り用バッカンが示されている。該釣り用バッカンは、上面に矩形の開口を有する略直方体形状のバッカン本体１と、該バッカン本体１の四つの側壁部２，３のうち長寸側の対向する一対の側壁部２の外面に取り付けられた一対の把手４，５と、バッカン本体１の上面開口を閉塞する蓋体６とを備えている。
【００１３】
バッカン本体１は、上述したように四つの側壁部２，３と底部７とから上面開口の有底に形成されている。四つの側壁部２，３は、二つの長寸の側壁部２と二つの短寸の側壁部３とからなり、且つ、上方ほど外側となるように僅かに傾斜した上広がりのテーパ形状となっており、従って、上面開口は底部７よりも僅かに大きい。但し、側壁部２，３が上広がりのテーパ形状ではなく略垂直に伸びるストレート形状であってもよい。また、バッカン本体１は合成樹脂からなり、具体的には、四つの側壁部２，３は柔軟性のある防水の合成樹脂シートから形成され、底部７は硬質ボードから形成されている。但し、底部７も合成樹脂シートから形成することもできる。
【００１４】
また、バッカン本体１の長寸側の両側壁部２にはそれぞれ把手４，５を回動可能に支持するための支持部材１０，１１が取り付けられている。具体的には、支持部材１０，１１は、バッカン本体１の側壁部２に取り付けられる横長の板状のベース部１２と、該ベース部１２に側方に向けて突設されて水平方向の貫通孔１３ａを有する左右一対の支持部１３とを備えている。該支持部１３は、把手４，５を上下方向に回動可能に支持するための軸受け部として機能する。また、支持部１３は、図５のように縦断面視略Ｕ字状であってその貫通孔１３ａは水平方向に長い長孔に形成されている。
【００１５】
尚、一方の支持部材１０には、ベース部１２との間に上下方向に貫通した貫通孔を形成するようにベース部１２にコの字状に突設されたハンガー部１４が前記両支持部１３間に設けられており、該ハンガー部１４には例えばタオル等を掛けておくことができる。なお、支持部材１０，１１は合成樹脂から成型により形成されており、従って、ベース部１２、支持部１３並びにハンガー部１４は一体に形成されている。そして、支持部材１０，１１はそのベース部１２がバッカン本体１の側壁部２の外面に溶着されることにより取り付けられている。
【００１６】
また、バッカン本体１の上面開口を閉塞する蓋体６は、短寸側の側壁部３の上端部に帯状の連結部８を介して取り付けられている。また、蓋体６の周縁部とバッカン本体１の開口縁部との間にはスライドファスナー９が取り付けられていて、該スライドファスナー９によって蓋体６は、バッカン本体１の上面開口を開閉自在に構成されている。そして、蓋体６を開けた際に、連結部８によって蓋体６はバッカン本体１に対してヒンジ連結された状態にあって連結部８を支点として上下に回動できる。かかる蓋体６もバッカン本体１と同様に合成樹脂、具体的には柔軟性のある防水の合成樹脂シートから形成されている。なお、蓋体６の上面には雄雌一対のドットボタン６ａ，６ｂが設けられていて、両ドットボタン６ａ，６ｂを互いに係着させることで蓋体６を連結部８側に向けて二つ折りに折り返した状態に維持することができ、上面開口を略半分だけ開口させることもできる。なお、バッカン本体１や蓋体６を構成する合成樹脂シートとしては、例えば、ＥＶＡ樹脂シート等を採用できる。
【００１７】
更に、バッカン本体１の支持部材１０，１１の支持部１３に回動可能に支持された一対の把手４，５は、合成樹脂から成型により形成されたものであって、図３に示すように、縦方向に伸びる左右一対の柱部３０と両柱部３０の上端部同士を横方向に連結する梁部４０とから全体としてコの字状に形成されていて、両柱部３０の下端部において支持部１３にそれぞれ支持されている。具体的には、柱部３０は、上側の棒状部３１とその下側の板状部３２とからなり、その板状部３２の下部には矩形の孔３３が形成されてその両側には縦方向に伸びる左右の脚部３４が形成され、該両脚部３４の下端部間を横方向に連結するように断面視円形の軸部３５が形成され、該軸部３５が支持部１３の貫通孔１３ａに挿入されて支持部１３に回動可能に支持されている。なお、上述したように支持部１３の貫通孔１３ａは長孔であるため、軸部３５は長孔の長手方向に沿って即ちバッカン本体１の側壁部２に対して接近離間する方向に沿って移動可能である。
【００１８】
また、図１乃至図３に示すように、柱部３０にはくの字状に曲折された曲折部３６が形成され、該曲折部３６を介してその上側領域が下側領域に対してバッカン本体１の内側に位置するように柱部３０は曲折する。該曲折部３６は、図２に実線にて示すように把手４，５を起立状態としたときにバッカン本体１の上端部（開口縁部）近傍に位置するような位置に形成されており、具体的には、板状部３２の上下方向略中央部に形成されている。
【００１９】
また、梁部４０は、両柱部３０の棒状部３１とそれぞれ連続してそれと同形状に形成された左右の棒状部４１と、該両棒状部４１間に位置して梁部４０の略中央部に位置する把持部４２とから構成されている。把持部４２は、棒状部３１よりも太軸状に形成されていて、具体的には、図４のように棒状部４１から連続してそれと前後略同一厚さに形成された基部４３と、該基部４３からその前側と後側にそれぞれ突出するようにして梁部４０の長手方向に間隔をあけながら複数、詳細には合計１０個形成された円盤状部４４とからなる。従って、把持部４２は、基部４３が凹部となり円盤状部４４が凸部となった凹凸形状に形成されている。なお、基部４３は、図３に示すように正面視において上下寸法が中央ほど大きくなるようにその下縁４３ａが下側凸の湾曲凸状に形成されており、その形状変化に合わせるように円盤状部４４も中央側のものほど大径となっている。従って、円盤状部４４の直径によって決まる凸部の基部４３からの前後それぞれの突出量も中央側ほど大きくなっている。
【００２０】
以上の構成は、両把手４，５共に共通しているが、一方の把手４（本実施形態ではハンガー部１４を有する支持部材１０に取り付けられている把手４であるが反対側の把手５であってもよい）には両把手４，５それぞれの把持部４２をまとめて覆うためのカバー体５０が取り付けられている。具体的には、図６のように、カバー体５０は柔軟な帯状体からなり、該カバー体５０の一端部５０ａには該一端部５０ａを他端部５０ｂ側に曲げ返して固定することによって筒状とされた筒状部５１が形成されており、該筒状部５１に一方の把手４の把持部４２が挿通されている。該カバー体５０は、把持部４２の略全長を覆う幅寸法を有しており、従って、一方の把手４の把持部４２はその一端の円盤状部４４から他端の円盤状部４４まで筒状部５１によって覆われた状態にある。また、カバー体５０は他端部５０ｂ側に向けて僅かに幅広となるように形成されているが、他端部５０ｂ（先端）は先細りの三角形状となっている。
【００２１】
そして、図７に示すように、両把持部４２を横並びにした状態において、カバー体５０はその他端部５０ｂ側で他方の把持部４２を覆うようにして巻回して筒状部５１に戻ることのできる長さを有している。更に、図６及び図１、図７に示すように、カバー体５０の他端部５０ｂ側で他方の把持部４２を被覆した状態を保持するための保持手段がカバー体５０に設けられている。具体的には、保持手段として、カバー体５０の一端部５０ａ側と他端部５０ｂ側にはカバー体５０の厚み方向への押圧力により互いに係止可能な係止具としての雄雌一対のドットボタン５２ａ，５２ｂが取り付けられており、カバー体５０の一端部５０ａ側のドットボタン５２ａは筒状部５１に取り付けられ、他端部５０ｂ側のドットボタン５２ｂは三角形状とされた先端領域に取り付けられている。詳細には、図６のように、一端部５０ａ側のドットボタン５２ａは、筒状部５１の軸線方向（カバー体５０の幅方向）の略中央に位置しており、また、中央の二つの円盤状部４４に跨るような位置に取り付けられており、従って、その一端部５０ａ側のドットボタン５２ａの内側には二つの円盤状部４４が位置している。なお、一端部５０ａ側のドットボタン５２ａを雌側とし他端部５０ｂ側のドットボタン５２ｂを雄側としているが、逆にしてもよい。また、筒状部５１に取り付けられたドットボタン５２ａは、図７に示すように、他方の把手５の把持部４２とは反対側であって且つ斜め上方を向く位置に取り付けられており、従って、他端部５０ｂ側のドットボタン５２ｂを筒状部５１のドットボタン５２ａに係着させると、カバー体５０の他端部５０ｂ（先端）は他方の把手５の把持部４２側の斜め上方（約４５度）を向いた状態となる。更に、他端部５０ｂ側のドットボタン５２ｂは、カバー体５０の裏面５０ｃ（図２参照）に該ドットボタン５２ｂの係着部が位置するように取り付けられており、従って、図７に示すように、カバー体５０の他端部５０ｂ側で他方の把持部４２を被覆する場合、下側から巻回するのではなく、上側から巻回して筒状部５１に戻る巻回方向となる。
【００２２】
かかるカバー体５０は柔軟な合成樹脂シートから形成され、例えば、バッカン本体１の合成樹脂シートと同様に厚手のＥＶＡ樹脂シートが使用できる。なお、カバー体５０の一端部５０ａに筒状部５１を形成する際においてその一端部５０ａを曲げ返してカバー体５０の中途部に固定しているが、この固定方法としては接着剤を使用する方法の他、溶着とすることもでき、図６に接着部５３（溶着部）をクロスハッチングにて示している。
【００２３】
以上のように構成された釣り用バッカンは、図２に二点鎖線にて示すように釣り場等においてバッカン本体１の上部を開放したい場合には一対の把手４，５を下方に傾倒させる。その状態において把手４，５の把持部４２はバッカン本体１の底部７よりも上方に位置し、特に、把手４，５が曲折部３６でくの字状に曲折されているので、磯場のような凹凸のある場所に載置した場合でも把手４，５が地面等に着きにくく把持部４２が汚れることが防止される。また、釣り用バッカンを持ち運ぶ場合には、図２に実線にて示すように両把手４，５をそれぞれ上方に起立させる。その起立状態において、図５に示すように、把手４，５の軸部３５が支持部１３の貫通孔１３ａの外側に位置するので把手４，５の把持部４２はバッカン本体１の内側に傾斜しようとし、従って把手４，５はその自重によって起立状態を維持することができる。また、把手４，５は上部が曲折部３６で内側に向けて曲折されているので、起立状態がより一層維持されやすくなるうえに、両把持部４２をより一層接近させることができる。なお、両把手４，５を起立させた際において、カバー体５０でまとめずに図２の実線のようにフリー状態とした場合、両把持部４２同士は水平方向に所定距離離間した状態にある。そして、その状態から、カバー体５０の他端部５０ｂ（先端）を持って両把持部４２を近づけるようにしながら、カバー体５０の他端部５０ｂ側で他方の把持部４２を上方から被覆するようにして巻回させ、その他端部５０ｂのドットボタン５２ｂを筒状部５１のドットボタン５２ａに係止させる。その作業の際においてカバー体５０のない他方の把手５も起立状態を維持しているので、片手で作業を行うことができる。また、両把手４，５は合成樹脂製の成型品であるものの可撓性を有し、しかも曲折部３６がバッカン本体１の開口縁部近傍に位置しているので、把手４，５の上部が主に撓むことで両把持部４２が接近する。更に、バッカン本体１の側壁部２，３も合成樹脂シートから形成されているので、把手４，５が開口縁部を内側に押圧することで開口縁部も内側に撓ませることができ、両把持部４２を楽に接近させてカバー体５０でひとまとめにすることができる。
【００２４】
また、他方の把持部４２をカバー体５０で上方から被覆するので、下方から被覆する場合に比してカバー体５０による被覆作業が楽であり、両把持部４２がフリー状態において上方に位置していることともあって、片手でその被覆作業を行うことも可能となる。しかも、一端部５０ａ側のドットボタン５２ａを筒状部５１に設けているので、巻回後において両把持部４２を強く握るとドットボタン５２ａ，５２ｂ同士が自動的に係止する。即ち、筒状部５１の内側に位置する把持部４２、特に凸部である円盤状部４４が支えとなるので、片手でもドットボタン５２ａ，５２ｂ同士を楽に係止させることができるのである。
【００２５】
このように持ち運ぶ際においてカバー体５０で両把持部４２が被覆された状態とすることができるうえに、両把持部４２をひとまとめにすることができる。従って、両把持部４２を直接把持することがなくカバー体５０を把持することができるので、手の平へのあたりがやわらかいものとなる。特に、把持部４２には凹凸が形成されているので、その把持部４２がカバー体５０で覆われることで凹凸が直接手の平に当たらなくなり、重量物を収納した場合でも手の平が痛くなりにくい。しかも、両把持部４２をカバー体５０でまとめることができるので、両把持部４２の上下の位置ずれが抑制されることとなり、持ち運ぶ際において軽い握力で把持することができる。
【００２６】
また、カバー体５０の被覆状態がドットボタン５２ａ，５２ｂで維持されているので運搬中に被覆状態が解除されるということもない。特に、一端部５０ａ側のドットボタン５２ａを筒状部５１に設けているので、互いに係止したドットボタン５２ａ，５２ｂ同士の上から更に把持することになり、運搬中に不用意にドットボタン５２ａ，５２ｂが外れるということがない。
【００２７】
また、ドットボタン５２ａ，５２ｂを使用しているのでカバー体５０による被覆状態を解除する作業も片手でできる。特に、図７のようにカバー体５０の他端部５０ｂ（先端）が斜め上方を向いているので片手でそのカバー体５０の他端部５０ｂをひっかけるようにすれば楽にドットボタン５２ａ，５２ｂ同士の係止状態を解除でき、ワンタッチでカバー体５０を外して両把持部４２を離間させることができる。
【００２８】
また更に、ドットボタン５２ａ，５２ｂ同士を係止させることにより、把持部４２同士をまとめる場合の他、図２に二点鎖線で示したように、把手４を下方に傾倒させた場合においてもカバー体５０を把持部４２に巻き付けておくこともでき、釣りの最中にカバー体５０が風を受けてばたついたりすることも防止でき、且つ、カバー体５０が把持部４２から垂れ下がって地面等に接触して汚れることも防止できる。
【００２９】
しかも、カバー体５０が把持部４２に取り付けられているので持ち運ぶ場合の作業も素早くでき、カバー体５０の紛失も防止できる。
【００３０】
なお、係止具としてドットボタンを用いた場合について説明したが、係止具は種々のものを採用でき、例えば一方をフック状としてそれを他方にひっかける構成のものも採用できる。また、面ファスナーも使用できるが、ドットボタンを用いることにより汚れが付きにくいうえに掃除も楽である。
【図面の簡単な説明】
【００３１】
【図１】本発明の一実施形態における手提げ容器を示す斜視図。
【図２】同容器の右側面図。
【図３】同容器の他方の把手を示す正面図。
【図４】同容器の他方の把手を示す平面図。
【図５】同容器の要部断面図。
【図６】同容器の一方の把手を示す平面図。
【図７】同容器の要部断面図。
【符号の説明】
【００３２】
１…バッカン本体、２，３…側壁部、４，５…把手、６…蓋体、７…底部、８…連結部、９…スライドファスナー、１０，１１…支持部材、１２…ベース部、１３…支持部、１３ａ…貫通孔、１４…ハンガー部、３０…柱部、３１、４１…棒状部、３２…板状部、３３…孔、３４…脚部、３５…軸部、３６…曲折部、４０…梁部、４２…把持部、４３…基部、４４…円盤状部、５０…カバー体、５０ａ…一端部、５０ｂ…他端部、５１…筒状部、５２ａ，５２ｂ…ドットボタン、５３…接着部
【図１】
2009018845.tif 000003
【図２】
2009018845.tif 000004
【図３】
2009018845.tif 000005
【図４】
2009018845.tif 000006
【図５】
2009018845.tif 000007
【図６】
2009018845.tif 000008
【図７】
2009018845.tif 000009